(57)【要約】  本発明方法は、Ｌｉイオン電池を作成する方法に関する。本発明の電池は、  正極と；  電極セパレータと；  負極とを有する。  前記方法は、  少なくとも１の電極活物質と少なくとも１のバインダとを有するインクから正極を製造するステップと；  少なくとも１のフッ化コポリマーを有するインクから電極セパレータを製造するステップと；  少なくとも１の電極活物質と少なくとも１のバインダとを有するインクから負極を製造するステップとを有する；  前記フッ化コポリマーは、  少なくとも１のフッ化モノマー９９．９９乃至９０モル％；  式ＣＲ１Ｒ２＝ＣＲ３−Ｃ（＝Ｏ）−Ｏ−Ｒ４の少なくとも１のアクリル酸誘導体０．０１乃至１０モル％（式中、互いに等しい、もしくは異なるＲ１，Ｒ２，Ｒ３のそれぞれは、独立に水素原子もしくはＣ１−Ｃ３炭化水素基であり、且つ  Ｒ４は、水素もしくは少なくとも１のヒドロキシル基を有するＣ１−Ｃ５炭化水素部分である）を有する。  前記フッ化コポリマーは、  少なくとも１のフッ化モノマー９９．９９乃至９０モル％；  式ＣＲ１Ｒ２＝ＣＲ３−Ｃ（＝Ｏ）−Ｏ−Ｒ４（式中、互いに等しい、もしくは異なるＲ１，Ｒ２，Ｒ３のそれぞれは、独立に水素原子もしくはＣ１−Ｃ３炭化水素基であり、且つ  Ｒ４は、水素もしくは少なくとも１のヒドロキシル基を有するＣ１−Ｃ５炭化水素部分である）の少なくとも１のアクリル酸誘導体０．０１乃至１０モル％を有する。【特許請求の範囲】
【請求項１】
正極と；
電極セパレータと；
負極と
を有するＬｉイオン電池を作成する方法であって、
前記方法は、
少なくとも１の電極活物質と少なくとも１のバインダとを有するインクから正極を製造するステップと；
少なくとも１のフッ化コポリマーを有するインクから電極セパレータを製造するステップであって、前記電極セパレータは厚さ１乃至２０μｍ及び多孔率３０％未満を有するステップと；
少なくとも１の電極活物質と少なくとも１のバインダとを有するインクから負極を製造するステップと
を有する；
前記フッ化コポリマーは、
少なくとも１のフッ化モノマー９９．９９乃至９０モル％；
式ＣＲ１Ｒ２＝ＣＲ３−Ｃ（＝Ｏ）−Ｏ−Ｒ４（式中、
互いに等しい、もしくは異なるＲ１，Ｒ２，Ｒ３のそれぞれは、独立に水素原子もしくはＣ１−Ｃ３炭化水素基であり、且つ
Ｒ４は、水素もしくは少なくとも１のヒドロキシル基を有するＣ１−Ｃ５炭化水素部分である）
の少なくとも１のアクリル酸誘導体０．０１乃至１０モル％
を有する、前記方法。
【請求項２】
正極及び／もしくは負極が集電体上にプリントもしくは塗布されることを特徴とする、請求項１に記載のＬｉイオン電池を作成する方法。
【請求項３】
電極セパレータが正極及び／もしくは負極上にプリントされることを特徴とする、請求項１又は２に記載のＬｉイオン電池を作成する方法。
【請求項４】
電極セパレータは自立ポリマーフィルムであって、前記ポリマーフィルムはまず基板上に塗布され、次いで２つの電極の間に置かれることを特徴とする、請求項１乃至３のいずれか一項に記載のＬｉイオン電池を作成する方法。
【請求項５】
フッ化モノマーは、フッ化ビニリデン；ヘキサフルオロプロピレン；クロロトリフルオロエチレン；トリフルオロエチレン、及びこれらの混合物からなるグループから選択されることを特徴とする、請求項１乃至４のいずれか一項に記載のＬｉイオン電池を作成する方法。
【請求項６】
アクリル酸誘導体モノマーは、アクリル酸、メタクリル酸、（メタ）アクリル酸ヒドロキシエチル、（メタ）アクリル酸ヒドロキシプロピル、（メタ）アクリル酸ヒドロキシエチルヘキシル、及びこれらの混合物からなるグループから選択されることを特徴とする、請求項１乃至５のいずれか一項に記載のＬｉイオン電池を作成する方法。
【請求項７】
正極の製造に使用されるインク及び／もしくは負極の製造に使用されるインク少なくとも１は、少なくとも１のバインダを有し、
前記バインダは、
少なくとも１のフッ化モノマー９９．９９乃至９０モル％；
式ＣＲ１Ｒ２＝ＣＲ３−Ｃ（＝Ｏ）−Ｏ−Ｒ４（式中、
互いに等しい、もしくは異なるＲ１，Ｒ２，Ｒ３のそれぞれは、独立に水素原子もしくはＣ１−Ｃ３炭化水素基であり、且つ
Ｒ４は、水素もしくは少なくとも１のヒドロキシル基を有するＣ１−Ｃ５炭化水素部分である）
のアクリル酸誘導体０．０１乃至１０モル％
を有するフッ化コポリマーであることを特徴とする、請求項１乃至６のいずれか一項に記載のＬｉイオン電池を作成する方法。
【請求項８】
正極の製造に使用されるインク及び負極の製造に使用されるインクの両方のバインダは、請求項７に規定されたコポリマーであることを特徴とする、請求項７に記載のＬｉイオン電池を作成する方法。
【請求項９】
電極セパレータを製造するためのインクのフッ化コポリマーは、正極の製造に使用されるインク及び／もしくは負極の製造に使用されるインクのバインダのフッ化コポリマーと同一であることを特徴とする、請求項８に記載のＬｉイオン電池を作成する方法。
【請求項１０】
フッ化コポリマーは、
少なくとも１のフッ化モノマー９９．９乃至９５モル％と；
少なくとも１のアクリル酸誘導体モノマー０．１乃至５モル％と
を有することを特徴とする、請求項１乃至９のいずれか一項に記載のＬｉイオン電池を作成する方法。
【請求項１１】
フッ化コポリマーは、
９９．５乃至９７．５  モル％の少なくとも１のフッ化モノマーと；
０．５乃至２．５モル％の少なくとも１のアクリル酸誘導体モノマーと
を有することを特徴とする、請求項１乃至１０のいずれか一項に記載のＬｉイオン電池を作成する方法。
【請求項１２】
電極セパレータは、厚さ２乃至１３μｍを有することを特徴とする、請求項１乃至１１のいずれか一項に記載のＬｉイオン電池を作成する方法。
【請求項１３】
電極セパレータは、厚さ２乃至８μｍを有することを特徴とする、請求項１乃至１２のいずれか一項に記載のＬｉイオン電池を作成する方法。
【請求項１４】
電極セパレータは、多孔率２０％未満を有することを特徴とする、請求項１乃至１３のいずれか一項に記載のＬｉイオン電池を作成する方法。
【請求項１５】
電極セパレータは、多孔率１０％未満を有することを特徴とする、請求項１乃至１４のいずれか一項に記載のＬｉイオン電池を作成する方法。
【発明の詳細な説明】
【技術分野】
【０００１】
本発明は、フルオロポリマーセパレータを有するＬｉイオン電池の製造方法に関する。
【０００２】
本発明の分野は、電気エネルギーの需要に応じた貯蔵及び放出に大部分において関わる。この種の電池は、典型にはコンシューマエレクトロニクス（例えば携帯電子装置）に使用されてよい。
【背景技術】
【０００３】
電池は、１以上の電気化学ユニットもしくはセルを有する。これらは、貯蔵された化学的エネルギーを電気的エネルギーに変換することを図る。
【０００４】
リチウムイオン（Ｌｉイオン）電池の各電気化学セルは、大部分は正極（カソード）、電極セパレータ、及び負極（アノード）からなる。各電極は、正極と負極とを互いに電子的に分離する集電体により支持され得る。
【発明の概要】
【発明が解決しようとする課題】
【０００５】
これらリチウムイオン電池において、カソードの活物質はリチウム化合物、例えば酸化リチウムを有する。他方、アノードの活物質は炭素系材料、例えばグラファイトでよい。これらの電池は、電極材料が金属リチウムではない点において普通のリチウム電池と本質的に異なる
【０００６】
電極の活物質は、リチウムカチオンを挿入且つ脱挿入させる。電極の組成は、電子伝導を可能にする電子伝導体をも包含する。
【０００７】
比較的薄い電池を製造するために、電極は集電体上にプリントもしくは塗布され得る。これらの技術は、マイクロメートルの電極を与える。この点について、電極にバインダを添加することは、集電体上にバインダを塗布する／プリントする能力を改善するかもしれない。また同様に、活物質の均一性を改善するかもしれない。
【０００８】
電極セパレータに関する限り、従来技術電池は、ポリオレフィンもしくはフッ化モノマーのコポリマーを通常有する。
【０００９】
技術革新は、電子デバイスのサイズ縮小をもたらしたが、リチウムイオン電池のエネルギー密度を改善する必要がまだ存在する。Ｌｉイオン電池の効率と容量とを維持しながら、電極、セパレータ及び集電体の厚さを最適化することは、この技術分野が対峙する主要な課題の一つである。
【００１０】
今度、本出願人は、電極セパレータとしてフルオロポリマー薄膜を有するリチウムイオン電池を製造する方法を開発した。  
【課題を解決するための手段】
【００１１】
本発明の要約
本発明は、リチウムイオン電池を作成する方法に関わる。当該リチウムイオン電池において、  電極セパレータは、フッ化及びアクリル酸誘導体モノマーのコポリマーを有する。前記リチウムイオン電池は、好ましくは薄型電池である。
【００１２】
本出願人は、この新規な方法により、電極セパレータがフッ化モノマーと親水性モノマーとを含有するコポリマーを有するリチウムイオン電池が得られることを見出した。前記リチウムイオン電池は、ポリオレフィンセパレータもしくはフッ化モノマーのみからなるポリマーのいずれかを有する従来のリチウムイオン電池と比べて、改善されたエネルギー密度を呈する。充電／放電サイクルの際のこれらの挙動もまた改善される。
【００１３】
より具体的には、本発明は、
正極と；
電極セパレータと；
負極と
を有するＬｉイオン電池を作成する方法に関わる。前記方法は、
少なくとも１の電極活物質と少なくとも１のバインダとを有するインクから正極を製造するステップと；
少なくとも１のフッ化コポリマーを有するインクから電極セパレータを製造するステップであって、前記電極セパレータは厚さ１乃至２０μｍ及び多孔率３０％未満を有するステップと；
少なくとも１の電極活物質と少なくとも１のバインダとを有するインクから負極を製造するステップと
を有する。前記フッ化コポリマーは、
少なくとも１のフッ化モノマー９９．９９乃至９０モル％、好ましくは９９．９乃至９５モル％及びより好ましくは９９．５乃至９７．５モル％；及び
式ＣＲ１Ｒ２＝ＣＲ３−Ｃ（＝Ｏ）−Ｏ−Ｒ４（式中、
互いに等しい、もしくは異なるＲ１，Ｒ２，Ｒ３のそれぞれは、独立に水素原子もしくはＣ１−Ｃ３炭化水素基であり、且つ
Ｒ４は、水素もしくは少なくとも１のヒドロキシル基を有するＣ１−Ｃ５炭化水素部分である）
の少なくとも１のアクリル酸誘導体０．０１乃至１０モル％、好ましくは０．１乃至５モル％、及びより好ましくは０．５乃至２．５モル％
を有する。
【００１４】
従来技術膜と対称的に、得られる電極セパレータは薄くて、緻密である。実際、好ましい実施形態によると、電極は、厚さ１乃至２０μｍ、及び３０％未満を有する。他方、文献ＷＯ２００８／１２９０４１は、ポアが平均直径少なくとも１０μｍを有する多孔質膜に関わる。さらに文献ＥＰ１６２１５７３は、多孔率５５乃至９０％、及び好ましくは１５０乃至５００μｍの範囲の厚さを有する膜を教示する。
【００１５】
説明の残りにおいて、用語「フッ化コポリマー」は上に定義されたフッ化コポリマーを意味する。
【００１６】
特定の実施形態によると、セパレータは１より多い高分子フィルムからなる。その高分子フィルムの少なくとも１つは、上で定義されたフッ化コポリマーから得られるフッ化高分子フィルムである。電極セパレータは、１より多い子ポリマーを含有してよく、また上で定義される１より多いフッ化コポリマーの混合物でもあり得る。
【００１７】
電極セパレータは、追加のポリマーを有してよいが、好ましくは前記フッ化コポリマーもしくはフッ化ポリマーフィルムから構成される。
【００１８】
ラジカル開始剤の存在下、水性媒体中で少なくとも１のフッ化モノマーと少なくとも１のアクリル酸誘導体モノマーとを重合することにより、フッ化コポリマーを得てよい。以下のステップ：
（１もしくは複数の）アクリル酸誘導体モノマーを有する水溶液を連続的に供給するステップ；及び
標準温度及び標準圧力において気体でよい（１もしくは複数の）フッ化モノマーの適当量を前記反応容器内で維持するステップ
によると、反応容器内でこの反応を実施してよい。
【００１９】
その結果、フッ化コポリマーは、ランダムに分布したフッ化モノマーとアクリル酸誘導体モノマーとを有してよい。モノマーのランダムな分布は、むらのある（ｂｌｏｃｋｙ−ｔｙｐｅ）構造をもたらす。得られる不均等な分布は、コポリマーの特性に影響を及ぼす。
【００２０】
アクリル酸誘導体のランダムに分布したユニットの割合（ｆｒａｃｔｉｏｎ）は、好ましくは少なくとも４０％、より好ましくは少なくとも５０％、さらにより好ましくは少なくとも６０％、最も好ましくは少なくとも７０である。
【００２１】
ＷＯ２００８／１２９０４１に記載されるように、前記割合は１００の同一フッ化モノマー当たりのアクリル酸誘導体モノマーシーケンスの平均数に対応する。これは１９Ｆ  ＮＭＲ分光計により決定できる。
【００２２】
フッ化コポリマーは、前記アクリル酸誘導体モノマーから誘導された繰り返しユニットを好ましくは少なくとも０．０１％モル、より好ましくは少なくとも０．１％モル、さらにより好ましくは多くとも０．５％モル有する。
【００２３】
フッ化コポリマーは、前記アクリル酸誘導体モノマーから誘導された繰り返し単位を、好ましくは多くとも１０％モル、より好ましくは多くとも５％モル、さらにより好ましくは多くとも２．５％モル有する。
【００２４】
式  ＣＲ１Ｒ２＝ＣＲ３−Ｃ（＝Ｏ）−Ｏ−Ｒ４  アクリル酸誘導体モノマーは、好ましくは親水性である。アクリル酸誘導体モノマーの非限定的例は、アクリル酸、メタクリル酸、（メタ）アクリル酸ヒドロキシエチル、（メタ）アクリル酸ヒドロキシプロピル、（メタ）アクリル酸ヒドロキシエチルヘキシル、及びこれらの混合物からなるからなるグループから選択される親水性モノマーを包含する。
【００２５】
アクリル酸誘導体モノマーは、より好ましくはアクリル酸ヒドロキシエチル（ＨＥＡ）；  アクリル酸２−ヒドロキシプロピル（ＨＰＡ）；アクリル酸（ＡＡ）；及びこれらの混合物からなるグループから選択される。
【００２６】
フッ化モノマーは、好ましくはフッ化ビニリデン（ＣＦ２＝ＣＦ２）；ヘキサフルオロプロピレン（ＣＦ２＝ＣＦ−ＣＦ３）；クロロトリフルオロエチレン（ＣＣｌＦ＝ＣＦ２）；トリフルオロエチレン（ＣＦ２＝ＣＨＦ）；その他、及びこれらの混合物からなるグループから選択される。好ましくは、フッ化ビニリデン（ＣＦ２＝ＣＦ２）；ヘキサフルオロプロピレン（ＣＦ２＝ＣＦ−ＣＦ３）；及びこれらの混合物である。
【００２７】
好ましくはフッ化コポリマーは、フッ化ビニリデン（ＣＦ２＝ＣＦ２）の繰り返し単位を少なくとも７０％含有する。
【００２８】
リチウムイオン電池の正極及び負極は、
電極の少なくとも１の活物質と；
少なくとも１のバインダと；
任意には、少なくとも１の電子半導体と
を有する電極インクから好ましくは製造される。
【００２９】
電極インクは、水性インクもしくは有機インクであり得る。
【００３０】
リチウムイオン電池の正極活物質は、式ＬｉＭＹ２の複合金属カルコゲン化物を有してよい。式中、
Ｍは少なくとも１の遷移金属、例えばＣｏ，Ｎｉ，Ｆｅ，Ｍｎ，Ｃｒ，Ａｌ及びＶであり；及び
Ｙはカルコゲン、例えばＯもしくはＳである。
【００３１】
正極材料は、好ましくは式ＬｉＭＯ２のリチウム系金属酸化物である、式中、Ｍは上記と同一である。
【００３２】
これらの好ましい例は、ＬｉＣｏＯ２，ＬｉＮｉＯ２，ＬｉＮｉｘＣｏ１−ｘＯ２  （０＜ｘ＜１），ＬｉＮｉ０．８Ｃｏ０．１５Ａｌ０．０５Ｏ２，及びスピネル構造ＬｉＭｎ２Ｏ４を包含してよい。
【００３３】
他方、リチウムイオン電池の負極活物質は、好ましくは炭素系材料、例えばグラファイト、活性炭又はフェノール樹脂の炭素により得られた炭素系材料、ピッチを有してよい。
【００３４】
すでに述べたように、電極インクは、少なくとも１の電子半導体を有してよい。この種の材料は、例えば活物質（例えばＬｉＣｏＯ２もしくはＬｉＦｅＰＯ４）の低い電子伝導性を改善するために添加される。
【００３５】
前記電子半導体は、炭素系材料（例えばカーボンブラック、グラファイト微粉末及びファイバー）及び金属の微粉末微粉末及びファイバー（例えばニッケル及びアルミニウム）からなるグループから選択され得る。
【００３６】
両電極に関して、バインダは、好ましくは上述のように少なくとも１のフッ化コポリマーである。
【００３７】
好ましい実施形態によると、Ｌｉイオン電池の（１もしくは複数の）バインダ及びセパレータは、同一のフッ化コポリマーを有する。同一のフッ化コポリマーは、従って有利には（１もしくは複数の）電極及びセパレータに含まれる。
【００３８】
換言すると、正極の製造に使用されるインク及び／もしくは負極の製造に使用されるインクの少なくとも１は、少なくとも１のバインダを有する。前記バインダは、
少なくとも１のフッ化モノマー９９．９９乃至９０モル％、好ましくは９９．９乃至９５モル％、及びさらにより好ましくは９９．５乃至９７．５モル％；
式ＣＲ１Ｒ２＝ＣＲ３−Ｃ（＝Ｏ）−Ｏ−Ｒ４（式中、
互いに等しい、もしくは異なるＲ１，Ｒ２，Ｒ３のそれぞれは、独立に水素原子もしくはＣ１−Ｃ３炭化水素基であり、且つ
Ｒ４は、水素もしくは少なくとも１のヒドロキシル基を有するＣ１−Ｃ５炭化水素部分である）
のアクリル酸誘導体０．０１乃至１０モル％、及びさらにより好ましくは０．５乃至２．５モル％
を有するフッ化コポリマーである。
【００３９】
特定の実施形態によると、正極の製造に使用されるインク及び負極の製造に使用されるインクの両方のバインダは、上に規定されたコポリマーである。
【００４０】
両方の電極インクは、同一の（１もしくは複数の）バインダを有してよい。
【００４１】
特定の実施形態によると、電極セパレータを製造するためのインクのフッ化コポリマーは、正極の製造に使用されるインク及び／もしくは負極の製造に使用されるインクのバインダのフッ化コポリマーと同一である。好ましくは、両方のインクについて同一のフッ化コポリマーである。
【００４２】
他のバインダは、普通に使用される混合物、例えばカルボキシメチルセルロース（ＣＭＣ）及びラテックス（ＳＢＲ，スチレンブタジエンゴム、もしくはＮＢＲ，アクリロニトリルブタジエンコポリマー）を包含する。
【００４３】
Ｌｉイオン電池は、電極セパレータのフッ化コポリマーであるバインダを有する少なくとも１の電極を好ましくは有する。
【００４４】
当該技術における一般的常識である技術に従い、電極それぞれの集電体上に、電極を塗布もしくはプリントできる。
【００４５】
ただし、本発明の好ましい実施形態によると、電極はいずれも集電体上にプリントされる。
【００４６】
集電体は、アルミニウム，銅，・・・からなるグループから選択可能な材料からなり得る。
【００４７】
当業者なら、適当な集電体と電極材料とを組み合わせることができよう。
【００４８】
従来技術に従って、電極セパレータをプリント、塗布、押し出し、もしくはキャストされ得る。例えば、電極セパレータは、ガラス基板上に塗布され得る。プリント技術は、シルクスクリーンプリント、写真凹版プリント、フレキソプリント、グラビア印刷法（写真凹版法）、インクジェットプリントを包含する。
【００４９】
電極セパレータは、正極もしくは負極いずれかの上にプリントもしくは塗布できる。電極セパレータはまた、両電極上にプリントもしくは塗布できる。別の特定実施形態によると、電極セパレータは、電極どうしの間に置かれる自立高分子フィルムであり得る。
【００５０】
好ましい実施形態によると、電極セパレータは、１の電極もしくは２つの電極上プリントされる。好ましくは、電極セパレータは、負極上にプリントされる。
【００５１】
電極セパレータの厚さは、好ましくは１μｍ乃至２０μｍ、より好ましくは２乃至１３μｍ、さらにより好ましくは２乃至８μｍの範囲である。有利には、当該技術における常識に従いマイクロメータで測定される。
【００５２】
電極セパレータは、多孔率好ましくは３０％未満、より好ましくは２０％未満、及びさらにより好ましくは１０％未満を有する。多孔率は、電極セパレータの体積単位当たりのポアの体積に関する。
【００５３】
電極セパレータの密度は、ＡＳＴＭ標準Ｄ７９２−００に従い測定される。この測定は、通常２３℃（±２℃）且つ相対湿度５０％（±５）において、行われる。多孔率は、
（（ボイド容量／サンプルの全体積）×１００）
と定義される。そのように定義された多孔率（（ボイド容量／サンプルの全体積）×１００）
が、以下の数式：
［１−（セパレータの密度／固体ポリマーの密度）］×１００
を使用して密度から直接誘導されることは、当該技術において周知である。ここで、電極セパレータを水中に浸漬するとき、水はセパレータ内及び従ってそのポア内に入り込まず、且つ固体ポリマーはバルクポリマー（セパレータを形成するために使用されるものと同一）であると思われる。
【００５４】
このプロセスによると、正極及び／もしくは負極は、集電体上にプリントもしくは塗布され得る。
【００５５】
すでに述べたように、電極セパレータは、もっぱら高分子フィルムからできる。電極セパレータは、１の電極もしくは正極及び負極の両方の上にプリントもしくは塗布可能である。
【００５６】
本発明の特定の実施形態によると、電極セパレータは、基板（例えばガラス基板）上に、フッ化コポリマーを有する組成物を塗布すること、及び得られる高分子フィルムを乾燥することによりまず製造される自立高分子フィルムである。前記フィルムを、次いで電極と電極との間に置く。
【００５７】
以下の図面及び実施例から、本発明及びその利点は当業者にとって明らかになる。
【図面の簡単な説明】
【００５８】
【図１】図１は、本発明と従来技術の両方による、且つプリント電極を有する電池の放電容量の、充電／放電サイクルの数の関数のグラフである。
【図２】図２は、本発明と従来技術の両方による、且つプリント電極を有する電池の放電容量の、充電／放電サイクルの数の関数のグラフである。
【図３】図３は、本発明と従来技術の両方による、且つプリント電極を有する電池の放電容量の、充電／放電サイクルの数の関数のグラフである。
【発明を実施するための形態】
【００５９】
本発明の実施形態の詳細な説明
表１の実施例は、フッ化ポリマーからなるセパレータを有する電池（例１乃至３，６，７）、及び市販のセパレータを有する電池（反証４，５及び８）に関わる。
【００６０】
実施例３（ＶＦ２−ＭＡ）とＶＦ２−ＨＦＰ−ＭＡの実施例６の自立フィルムの密度を、ＡＳＴＭ  Ｄ７９２−００に従い測定し、（ボイド容量／サンプルの全体積）×１００として定義された多孔率３．８％及び９％をそれぞれ得た。
【００６１】
表１：  本発明による電池と従来の電池との対比
【表１】
2015522928.tif 000002
2015522928.tif 000003
（ａ）  インクの乾燥重量と比較した重量％
（ｂ）  ポリエチレン  ＝  Ｃｅｌｇａｒｄ（Ｒ）２４００  （Ｃｅｌｇａｒｄから購入）
（ｃ）  有機溶媒（ＮＭＰ  ＝  Ｎ−メチルピロリドン）中で調製されたインク
（ｄ）  水溶液中で調製されたインク
（ｅ）  ＴＨＦ／ＤＭＦ（８０／２０重量比）中８．７ｗｔ％溶液から得られたセパレータ
（ｆ）  ＴＨＦ／ＤＭＦ（８０／２０重量比）中２２ｗｔ％溶液から得られたセパレータ
（ｇ）  ＭＥＫ（ブタン−２−オン）中５ｗｔ％溶液から得られたセパレータ
（ｈ）  実施例１ａ）−ｄ）によるセパレータの厚さは、それぞれ３；４；５；６ミクロンである。
ＣＭＣ＝カルボキシメチルセルロース
ＮＣＡ＝ＬｉＮｉ０．８Ｃｏ０．１５Ａｌ０．０５Ｏ２
ＶＦ２−ＭＡ＝コポリマー組成物：  ９９モル％フッ化ビニリデン（ＣＦ２＝ＣＦ２），及び１モル％アクリル酸（ＣＨ２＝ＣＨ−Ｃ（＝Ｏ）−ＯＨ）
ＶＦ２−ＨＦＰ＝コポリマー組成物：  ９７．７モル％フッ化ビニリデン（ＣＦ２＝ＣＦ２），及び２．３モル％ヘキサフルオロプロペン（ＣＦ２＝ＣＦ−ＣＦ３）
ＶＦ２−ＨＦＰ−ＭＡ＝コポリマー組成物：９６．７モル％フッ化ビニリデン（ＣＦ２＝ＣＦ２），２．３モル％ヘキサフルオロプロペン（ＣＦ２＝ＣＦ−ＣＦ３），及び１モル％アクリル酸（ＣＨ２＝ＣＨ−Ｃ（＝Ｏ）−ＯＨ）
ＮＢＲラテックス＝アクリロニトリルブタジエンコポリマー（ＮＢＲ）（ＰｏｌｙｍｅｒＬａｔｅｘから購入）（４１％における溶液）
ＥＣ＝電子半導体（ＳｈｏｗａＤｅｎｋｏのＣａｒｂｏｎＳｕｐｅｒＰ（ＳｕｐｅｒＣ６５））
【００６２】
表１の組成物／インクに従い電池を製造し、３．０乃至４．２５ボルトの電流負荷について異なる充電及び放電レートで試験した。
【００６３】
実施例２，５及び８の電池において、電極セパレータを２つの電極の間に置く。
【００６４】
実施例３，４及び６の電池において、電極セパレータを乾燥し、且つ２つの電極の間に置く。
【００６５】
実施例１乃至２による電池は、軟包装へとパックされた薄型電池である。これらは、以下のサイクル：
Ｃ／２０−Ｄ／２０：  ２サイクル；
Ｃ／１０−Ｄ／１０：  ５サイクル；
Ｃ／５−Ｄ／５：  ５サイクル；
Ｃ／２−Ｄ：  ４サイクル；
Ｃ／２−２Ｄ；
Ｃ／２０−Ｄ／２０  数サイクル
に従い試験した。
【００６６】
実施例３乃至５による電池はボタンセルである。これらは、以下のサイクル：
Ｃ／２０−Ｄ／２０：  ２サイクル；
Ｃ／１０−Ｄ／１０：  ５サイクル；
Ｃ／５−Ｄ／５：  ５サイクル；
Ｃ／２−Ｄ：  ４サイクル；
Ｃ／２−２Ｄ；
Ｃ／２０−Ｄ／２０：  数サイクル
に従い試験した。
【００６７】
実施例６乃至８による電池は、軟包装へとパックされた平型電池である。これらは、以下のサイクル：
Ｃ／２０−Ｄ／２０：  ３サイクル；
Ｃ／１０−Ｄ／１０：  ４サイクル；
Ｃ／５−Ｄ／５：  ４サイクル；
Ｃ／２−Ｄ：  ４サイクル；
Ｃ／２−２Ｄ：  ３サイクル；
Ｃ／２０−Ｄ／２０  数サイクル
に従い試験した。
【００６８】
Ｃ／２０充電サイクルは、２０時間の定常電流に対応する。電流量は、２０で割られた電池の容量Ｃに等しい。Ｄ／５の放電サイクルは、５時間続く放電に対応する。
【００６９】
本発明によるこれら実施例の全てでは、ポリオレフィンセパレータもしくは完全にフッ化したセパレータを有する従来の電池に比べて、このように得られたリチウムイオン電池が改善された特性を示すことが見られる。
【００７０】
セパレータが自立式であるか、集電体の上に塗布されているかに関わらず、類似の特性が得られることをも見て取れる。
【図１】
2015522928.tif 000004
【図２】
2015522928.tif 000005
【図３】
2015522928.tif 000006
【国際調査報告】
2015522928.tif 000007
2015522928.tif 000008